(57)【要約】【課題】製造コストを低減でき、かつ組み付け作業とリサイクル処理が容易な車両ドア用ウェザーストリップ１０の取付構造及び車両ドア用ウェザーストリップ１０並びに車両用ドアトリム２０を提供すること。【解決手段】プラスチック製の基部１１に一体成形したプラスチック製のリップ部１２から成るウェザーストリップ１０を、リップ部１２がドアガラス３０に摺接するようにドアトリム２０に取り付ける車両ドア用ウェザーストリップの取付構造であって、基部１１にその長手方向に沿って複数の係止穴１３を等ピッチで列設し、ドアトリム２０に複数のフック部２３を係止穴１３と同じピッチで凸設し、各フック部２３を各係止穴１３に挿入した後、ウェザーストリップ１０をその長手方向へスライドすることによりフック部２３を係止穴１３の縁に係止し、もってウェザーストリップ１０をドアトリム２０に取り付ける。【選択図】図３
2006076315.tif 000002
【特許請求の範囲】
【請求項１】
基部と該基部に一体成形したリップ部から成るウェザーストリップを、前記リップ部がドアガラスに摺接するようにドアトリムに取り付ける車両ドア用ウェザーストリップの取付構造であって、前記基部にその長手方向に沿って複数の係止穴を列設し、前記ドアトリムに複数のフック部を凸設し、各フック部を前記各係止穴に挿入した後、ウェザーストリップをその長手方向へスライドすることによりフック部を係止穴の縁に係止し、もってウェザーストリップをドアトリムに取り付けることを特徴とする車両ドア用ウェザーストリップの取付構造。
【請求項２】
基部と該基部に一体成形したリップ部から成り、前記リップ部がドアガラスに摺接するようにドアトリムに取り付ける車両ドア用ウェザーストリップであって、前記ドアトリムに凸設した複数のフック部が個々に挿入され、前記ウェザーストリップをその長手方向へスライドすることにより各フック部が縁に係止する係止穴を前記基部にその長手方向に沿って列設したことを特徴とする車両ドア用ウェザーストリップ。
【請求項３】
基部と該基部に一体成形したリップ部から成るウェザーストリップを、前記リップ部がドアガラスに摺接するように取り付ける車両用ドアトリムであって、前記ウェザーストリップの基部にその長手方向に沿って列設された複数の係止穴の各々に挿入され、前記ウェザーストリップをその長手方向へスライドすることにより前記係止穴の縁に係止するフック部を複数箇所に凸設したことを特徴とする車両用ドアトリム。
【発明の詳細な説明】
【技術分野】
【０００１】
本発明は、基部と該基部に一体成形したリップ部から成るウェザーストリップを、リップ部がドアガラスに摺接するようにドアトリムに取り付ける車両ドア用ウェザーストリップの取付構造と当該取付構造に好適な車両ドア用ウェザーストリップ及び車両用ドアトリムに関する。
【背景技術】
【０００２】
この種の取付構造の一形式として、ウェザーストリップの基部に複数本の舌片を設けた金属帯片をインサート成形し、ドアトリムに形成した穴に舌片を挿入し、穴から突出する舌片先端を折り曲げることにより、ウェザーストリップをドアトリムに取り付けるようにしたウェザーストリップの取付構造が実用に供されている。
かかる取付構造にあっては、ウェザーストリップに金属帯片をインサート成形するため、成形コストが高くなる。また、重量も重くなるだけでなく、プラスチックと金属の２種類の材料が一体化しているため、リサイクル処理が困難となる等の問題点がある。
上記取付構造における問題点を解決する手段として、特開平９−３９５７１号公報には、ドアトリムに断面略Ｔ字形の取付部を成形し、ウェザーストリップの基部を断面略Ｃ字形に成形し、基部を取付部に被せ、基部で取付部を挟持することによりウェザーストリップをドアトリムに取り付けるようにした取付構造が開示されている。
また、特開２００３−１４６０８３号公報には、ドアトリムに溝と凸条を成形し、ウェザーストリップの基部に長手方向に延びる凸条と溝を成形し、ドアトリムの溝と凸条のそれぞれにウェザーストリップの凸条と溝を嵌着することにより、ウェザーストリップをドアトリムに取り付けるようにした取付構造が開示されている。
【特許文献１】特開平９−３９５７１号公報
【特許文献２】特開２００３−１４６０８３号公報
【発明の開示】
【発明が解決しようとする課題】
【０００３】
上記した特許文献記載の取付構造は、金属帯片が使われていないので、ウェザーストリップのリサイクル処理が容易となるほか、成形コストも低くできる。しかしながら、ウェザーストリップがドアトリムに対し長手方向にずれ易いため、取り付けたときウェザーストリップの端末の位置にばらつきが生じ易い。また、ずれを防止すべくウェザーストリップ基部の挟持力や嵌着力を強くすると、脱着が困難になり、組み付け作業に手間がかかる。
【０００４】
本発明はかかる問題点に鑑み、製造コストを低減でき、かつ組み付け作業とリサイクル処理が容易な車両ドア用ウェザーストリップの取付構造及び車両ドア用ウェザーストリップ並びに車両用ドアトリムを提供することを目的とする。
【課題を解決するための手段】
【０００５】
請求項１に記載の発明は、基部と該基部に一体成形したリップ部から成るウェザーストリップを、前記リップ部がドアガラスに摺接するようにドアトリムに取り付ける車両ドア用ウェザーストリップの取付構造であって、前記基部にその長手方向に沿って複数の係止穴を列設し、前記ドアトリムに複数のフック部を凸設し、各フック部を前記各係止穴に挿入した後、ウェザーストリップをその長手方向へスライドすることによりフック部を係止穴の縁に係止し、もってウェザーストリップをドアトリムに取り付けることを特徴とする。
請求項２に記載の発明は、基部と該基部に一体成形したリップ部から成り、前記リップ部がドアガラスに摺接するようにドアトリムに取り付ける車両ドア用ウェザーストリップであって、前記ドアトリムに凸設した複数のフック部が個々に挿入され、前記ウェザーストリップをその長手方向へスライドすることにより各フック部が縁に係止する係止穴を前記基部にその長手方向に沿って列設したことを特徴とする。
請求項３に記載の発明は、基部と該基部に一体成形したリップ部から成るウェザーストリップを、前記リップ部がドアガラスに摺接するように取り付ける車両用ドアトリムであって、前記ウェザーストリップの基部にその長手方向に沿って列設された複数の係止穴の各々に挿入され、前記ウェザーストリップをその長手方向へスライドすることにより前記係止穴の縁に係止するフック部を複数箇所に凸設したことを特徴とする。
【発明の効果】
【０００６】
本発明に係る車両ドア用ウェザーストリップの取付構造、車両ドア用ウェザーストリップ及び車両用ドアトリムによれば、ウェザーストリップの基部に列設した係止穴にドアトリムのフック部を挿入し、基部の長手方向にウェザーストリップをスライドさせることによりウェザーストリップをドアトリムに取り付けることができる。
このようにフック部を係止穴へ挿入し、ついで、ウェザーストリップを長手方向にスライドさせるだけの簡単な作業でウェザーストリップをドアトリムに組み付けるとができ、組み付け作業の能率が向上する。
ウェザーストリップは長手方向にスライドさせることにより係止穴に係止するので、取り付けたときのウェザーストリップの端末の位置にばらつきが生じない。
ウェザーストリップの構造が簡単なため、成形コストを低減できる。
【発明を実施するための最良の形態】
【０００７】
硬質プラスチック製の基部に一体成形した軟質プラスチック製のリップ部から成るウェザーストリップを、リップ部がドアガラスに摺接するようにドアトリムに取り付ける車両ドア用ウェザーストリップの取付構造であって、基部にその長手方向に沿って複数の矩形係止穴を等ピッチで列設し、ドアトリムに複数の矩形フック部を係止穴と同じピッチで凸設し、各フック部を各係止穴に挿入した後、ウェザーストリップをその長手方向へスライドすることによりフック部を係止穴の縁に係止し、もってウェザーストリップをドアトリムに取り付ける。
【実施例１】
【０００８】
以下に本発明を図面に基づき説明するに、図１には本発明の一実施例に係る車両ドア用ウェザーストリップ１０が、図２には車両用ドアトリム２０が示されている。当該ウェザーストリップ１０は細長い板状の基部１１と、基部１１の一面に凸設した２本の帯状リップ部１２を備え、基部１１は硬質プラスチック、リップ部１２は軟質プラスチックから成る２色成形により一体成形されている。この基部１１には等ピッチで複数の矩形係止穴１３が基部１１の長手方向に沿って列設されている。
【０００９】
車両用ドアトリム２０は上縁部２１と、上縁部２１に垂設した取付面２２から成り、取付面２２に矩形のフック部２３が設けられている。このフック部２３はウェザーストリップ１０の係止穴１３に挿入できるように所要寸法を有し、係止穴１３と同じピッチで列設されている。そして、これら上縁部２１、取付面２２及びフック部２３はプラスチックで一体成形されている。
【００１０】
図３に、ウェザーストリップ１０をドアトリム２０に組み付けた状態を示す。ウェザーストリップ１０をドアトリム２０に組み付けるには、各フック部２３を係止穴１３に挿入し、ついでウェザーストリップ１０を長手方向に、係止穴１３の略幅寸法分スライドさせて、フック部２３を係止穴１３の縁に係止する。これによりウェザーストリップ１０がドアトリム２０に装着され、リップ部１２がドアガラス３０に摺接する。
【図面の簡単な説明】
【００１１】
【図１】本発明の一実施例に係る車両ドア用ウェザーストリップを示す斜視図である。
【図２】本発明の一実施例に係る車両用ドアトリムを示す斜視図ある。
【図３】同ウェザーストリップとドアトリムの組み付け状態を示す断面図である。
【符号の説明】
【００１２】
１０…車両ドア用ウェザーストリップ、１１…基部、１２…リップ部、１３…係止穴、２０…車両用ドアトリム、２３…フック部。
【図１】
2006076315.tif 000003
【図２】
2006076315.tif 000004
【図３】
2006076315.tif 000005